(57)【要約】【課題】  取付面の通線穴の位置に関わりなく使用可能な屋内接続装置及び該屋内接続装置とともに用いられる通線プレートを提供する。【解決手段】  屋内接続装置４のハウジング４０の後面に、モジュラジャックが収納された空間に連通して後方と下方とにそれぞれ開放されたケーブル挿通凹部４１ｍを設けた。ハウジング４０を通線穴Ｗ１に重ねて取り付ける場合にはＬＡＮケーブル２及び電源線３をそれぞれケーブル挿通凹部４１ｍを通じて後方に引き出し、ハウジング４０を通線穴Ｗ１から離れた位置に取り付ける場合にはＬＡＮケーブル２をケーブル挿通凹部４１ｍを通じて下方に引き出すことができるから、いずれの場合にも使用可能である。【選択図】図１
2008125331.tif 000002
【特許請求の範囲】
【請求項１】
屋内に設置され、屋外から引き込まれた通信ケーブルに屋内の端末機器を接続するために用いられる屋内接続装置であって、
モジュラプラグが挿入されるプラグ挿入口を有しプラグ挿入口に挿入されたモジュラプラグを予め接続された通信ケーブルに接続する少なくとも１個のモジュラジャックと、
モジュラジャックのプラグ挿入口を露出させるプラグ挿通穴を有しモジュラジャックを収納して取付面に取り付けられるハウジングとを備え、
ハウジングには、モジュラジャックに接続された通信ケーブルが挿通されるケーブル挿通凹部が設けられ、
ケーブル挿通凹部は、ハウジングの後面と側面との両方にそれぞれ開口していることを特徴とする屋内接続装置。
【請求項２】
ハウジングに収納され電源プラグの栓刃に接触導通する刃受けと、刃受けに通電する電源手段とを備え、刃受けに接触導通する栓刃が挿通される栓刃挿入口がハウジングの前面に設けられていることを特徴とする請求項１記載の屋内接続装置。
【請求項３】
前記モジュラジャックを２個備えることを特徴とする請求項１又は請求項２記載の屋内接続装置。
【請求項４】
取付面に設けられて通信ケーブルが挿通される通線穴を覆う形で請求項１〜３のいずれか記載の屋内接続装置のハウジングが固定される場合に用いられ取付面に固定されるとともにハウジングを保持する通線プレートであって、
取付面への取り付けのための取付手段と、ハウジングの保持のためのハウジング保持手段と、既成の配線器具用の取付枠と同様の２個のプレート取付ねじ部と、プレート取付ねじ部の間に設けられ通線穴に連通してハウジングに導入される通信ケーブルが挿通される通線口とを有することを特徴とする通線プレート。
【発明の詳細な説明】
【技術分野】
【０００１】
本発明は、室内外に跨る配線に用いられる屋内接続装置及び該屋内接続装置とともに用いられる通線プレートに関するものである。
【背景技術】
【０００２】
従来から、加入者線として光ファイバケーブルを用いた通信システムとして、ＦＴＴＨ（Fiber  To  The  Home）が提供されている（例えば、特許文献１参照）。これは、公衆網から各家庭まで配線された光ファイバケーブル（光加入者線）を、光加入者線終端装置（ONU：Optical  Network  Unit）に接続し、各家庭において電話機やパーソナルコンピュータ等の端末機器をＬＡＮケーブルを介して光加入者線終端装置に接続するものである。光加入者線終端装置は、光ファイバケーブルを伝送される光信号とＬＡＮケーブルを伝送される電気信号との相互の変換を行う。
【０００３】
上記ＬＡＮケーブルの配線の形態として、図１４に示すものが提案されている。図１４の配線形態では、公衆網に接続された光加入者線からの引き込み用の光ファイバケーブル（いわゆるドロップケーブル）ＦＣが接続され屋外に設置された光加入者線終端装置１と、ＬＡＮケーブル２と電源線３とを介して光加入者線終端装置１と接続された屋内接続装置４とを用いている。光ファイバケーブルＦＣと光加入者線終端装置１との接続には、例えばＳＣ型やＭＵ型などの周知の光コネクタを用いることができる。ＬＡＮケーブル２及び電源線３は、それぞれ、取付面を構成する壁材Ｗに貫設されて屋内と屋外とを連通させる通線穴Ｗ１を通じて屋内に引き込まれる。屋内に設置された電話機やパーソナルコンピュータ等の各種の端末機器（図示せず）は、ＬＡＮケーブル２を介して屋内接続装置４に接続される。光加入者線終端装置１の電源は、電源線３を介して屋内接続装置４から供給される。
【０００４】
光加入者線終端装置１は、光ファイバケーブルＦＣに伝送される光信号とＬＡＮケーブル２に伝送される電気信号との相互の変換を行うものである。光加入者線終端装置１は、光加入者線終端装置１を雨滴から保護するように防水性を有するケース１０に収納される。
【０００５】
屋内接続装置４は、ＬＡＮケーブル２を介して光加入者線終端装置１に接続されるとともにモジュラプラグが接続されるモジュラジャック４３と、電源プラグの栓刃が挿入される栓刃挿入口（図示せず）と栓刃挿入口から挿入された栓刃に接触導通する刃受け（図示せず）とを有するコンセント４４と、一端が上記刃受けに電気的に接続されるとともに他端に電源プラグ４４ｃが設けられたコード４４ｂとを有する。
【０００６】
上記構成において、光加入者線終端装置１に電源が供給される状態とするには、一端が光加入者線終端装置１に接続された電源線３の他端に設けられたプラグ３１をコンセント４４に接続するとともに、電源プラグ４４ｃを屋内のコンセントＡＣに接続する。また、端末機器を光加入者線終端装置１に接続するには、モジュラジャック４３に、一端がハブやルータを介して又は直接に端末機器に接続されたＬＡＮケーブル２の他端に設けられたモジュラプラグ２１を接続する。すると、端末機器が屋内接続装置４を介して光加入者線終端装置１に接続される。このように、図１４の配線形態では、屋外に配置された光加入者線終端装置１に光ファイバケーブルＦＣを接続する作業以外では、光ファイバケーブルＦＣが取り扱われることがない。
【０００７】
上記の配線形態によれば、光加入者線終端装置１を屋外に配置するようにしたことにより、光ファイバケーブルＦＣを扱う作業は屋外のみで完了することができる。従って、システムの構築や端末機器の配置換えといった作業の際に屋内で行う作業では光ファイバケーブルＦＣを扱うことがなくＬＡＮケーブル２を扱うだけであって、特に専門知識を有さない一般の使用者が行うことができ施工業者が屋内に入る必要がないから、光ファイバケーブルＦＣを屋内まで引き込む場合に比べ、施工性及び利便性が高い。
【特許文献１】特開２００２−２１７９３３号公報
【発明の開示】
【発明が解決しようとする課題】
【０００８】
ここで、通線穴Ｗ１としては、専用のものが用いられる場合と、例えばエアコン用など他の目的の貫通穴が兼用される場合がある。
【０００９】
専用のものが用いられる場合、ＬＡＮケーブル２を導入するためのケーブル挿通穴が後面に開口した屋内接続装置４を挿通穴Ｗ１に重ねるようにして壁材Ｗ１に取り付ければ、屋内接続装置４によって挿通穴Ｗ１を隠すことができる。
【００１０】
しかし、他の目的の貫通穴が兼用される場合、屋内接続装置４を通線穴Ｗ１に重ねて取り付けることはできないことが多い。このような場合、屋内接続装置４は通線穴Ｗ１から離れた位置に取り付けられることになるから、ケーブル挿通穴が後面のみに開口した屋内接続装置４は使用できないことになる。
【００１１】
本発明は、上記事由に鑑みて為されたものであり、その目的は、取付面の通線穴の位置に関わりなく使用可能な屋内接続装置及び該屋内接続装置とともに用いられる通線プレートを提供することにある。
【課題を解決するための手段】
【００１２】
請求項１の発明は、屋内に設置され、屋外から引き込まれた通信ケーブルに屋内の端末機器を接続するために用いられる屋内接続装置であって、モジュラプラグが挿入されるプラグ挿入口を有しプラグ挿入口に挿入されたモジュラプラグを予め接続された通信ケーブルに接続する少なくとも１個のモジュラジャックと、モジュラジャックのプラグ挿入口を露出させるプラグ挿通穴を有しモジュラジャックを収納して取付面に取り付けられるハウジングとを備え、ハウジングには、モジュラジャックに接続された通信ケーブルが挿通されるケーブル挿通凹部が設けられ、ケーブル挿通凹部は、ハウジングの後面と側面との両方にそれぞれ開口していることを特徴とする。
【００１３】
この発明によれば、取付面に設けられて通信ケーブルが挿通される通線穴に重ねる形でハウジングを固定する場合はモジュラジャックに接続された通信ケーブルをケーブル挿通凹部からハウジングの後方へ導出し、通線穴から離れた位置にハウジングを固定する場合はモジュラジャックに接続された通信ケーブルをケーブル挿通凹部からハウジングの側方へ導出して、いずれの場合にも使用可能となる。
【００１４】
請求項２の発明は、請求項１の発明において、ハウジングに収納され電源プラグの栓刃に接触導通する刃受けと、刃受けに通電する電源手段とを備え、刃受けに接触導通する栓刃が挿通される栓刃挿入口がハウジングの前面に設けられていることを特徴とする。
【００１５】
この発明によれば、電源プラグにＡＣアダプタが一体化されていて寸法形状が大きい場合であっても、取付面と電源プラグとが干渉することなく栓刃を確実に栓刃挿入口に挿入することができる。
【００１６】
請求項３の発明は、請求項１又は請求項２の発明において、前記モジュラジャックを２個備えることを特徴とする。
【００１７】
この発明によれば、例えば、屋内に設置されて加入者線終端装置に接続されるルータを、屋外に引き出されて別室に導入される通信ケーブルを介して別室の端末機器に接続する場合に、屋外に設置された加入者線終端装置と屋内に設置されたルータの入力端との接続に一方のモジュラジャックを用い、屋内に設置されたルータの出力端と別室に導入される通信ケーブルとの接続に他方のモジュラジャックを用いることができる。
【００１８】
請求項４の発明は、取付面に設けられて通信ケーブルが挿通される通線穴を覆う形で請求項１〜３のいずれか記載の屋内接続装置のハウジングが固定される場合に用いられ取付面に固定されるとともにハウジングを保持する通線プレートであって、取付面への取り付けのための取付手段と、ハウジングの保持のためのハウジング保持手段と、既成の配線器具用の取付枠と同様の２個のプレート取付ねじ部と、プレート取付ねじ部の間に設けられ通線穴に連通してハウジングに導入される通信ケーブルが挿通される通線口とを有することを特徴とする。
【００１９】
この発明によれば、例えばサービスの解約によって通線穴が用いられなくなった場合に、一般的な取付枠用のブランクカバーを取り付けることによって通線穴又は通線穴の痕跡を覆い、見栄えを改善することができる。
【発明の効果】
【００２０】
請求項１の発明によれば、モジュラジャックに接続された通信ケーブルが挿通されるケーブル挿通凹部がハウジングの後面と側面との両方にそれぞれ開口しているので、取付面に設けられて通信ケーブルが挿通される通線穴に重ねる形でハウジングを固定する場合はモジュラジャックに接続された通信ケーブルをケーブル挿通凹部からハウジングの後方へ導出し、通線穴から離れた位置にハウジングを固定する場合はモジュラジャックに接続された通信ケーブルをケーブル挿通凹部からハウジングの側方へ導出して、いずれの場合にも使用可能となる。
【００２１】
請求項２の発明によれば、栓刃が挿通される栓刃挿入口がハウジングの前面に設けられているので、電源プラグにＡＣアダプタが一体化されていて寸法形状が大きい場合であっても、取付面と電源プラグとが干渉することなく栓刃を確実に栓刃挿入口に挿入することができる。
【００２２】
請求項３の発明によれば、モジュラジャックを２個備えるので、例えば、屋内に設置されて加入者線終端装置に接続されるルータを、屋外に引き出されて別室に導入される通信ケーブルを介して別室の端末機器に接続する場合に、屋外に設置された加入者線終端装置と屋内に設置されたルータの入力端との接続に一方のモジュラジャックを用い、屋内に設置されたルータの出力端と別室に導入される通信ケーブルとの接続に他方のモジュラジャックを用いることができる。
【００２３】
請求項４の発明によれば、既成の配線器具用の取付枠と同様の２個のプレート取付ねじ部を有するので、例えばサービスの解約によって通線穴が用いられなくなった場合に、一般的な取付枠用のブランクカバーを取り付けることによって通線穴又は通線穴の痕跡を覆い、見栄えを改善することができる。
【発明を実施するための最良の形態】
【００２４】
以下、本発明を実施するための最良の形態について、図面を参照しながら説明する。
【００２５】
本実施形態は、図１４に示した配線システムに用いられる屋内接続装置４であって、図２（ａ）〜図２（ｃ）に示すように、電源プラグの栓刃が挿入される栓刃挿入口４４ａが前面に設けられたハウジング４０と、それぞれモジュラプラグが挿入接続されるプラグ挿入口４３ａを有する２個のモジュラジャック４３とを備える。モジュラプラグ及びモジュラジャック４３はそれぞれ例えばＲＪ４５型のものである。以下、上下左右は図２（ａ）を基準とし、図２（ｃ）における左右方向を前後方向と呼ぶ。
【００２６】
詳しく説明すると、ハウジング４０は、ハウジング４０の後面を構成するボディ４１と、ハウジング４０の前面を構成するカバー４２とを備え、全体として直方体形状となっている。ボディ４１及びカバー４２はそれぞれ例えば熱可塑性樹脂からなる。
【００２７】
ボディ４１の前面の上端部には、図３に示すように２個の刃受けブロック４５を保持したコンセントボディ４６が保持されるコンセント収納凹部４１ａが設けられている。各刃受けブロック４５は、図４に示すように、それぞれ、栓刃挿入口４４ａから挿入された栓刃を弾性的に挟持する刃受けばね４５ａと、例えばビス止めによって刃受ばね４５ａに機械的且つ電気的に結合した端子板４５ｂと、端子板４５ｂに上下に貫設されたねじ穴（図示せず）に螺合する端子ねじ４５ｃと、端子ねじ４５ｃの頭部と端子板４５ｂとの間に挟まれ端子板４５ｂとの間にコード４４ｂの一方の極性の心線（図示せず）を挟持する押さえ板４５ｄとを備える。刃受けブロック４５の各部品はそれぞれ例えば金属のような導電材料からなる。つまり、端子板４５ｂと端子ねじ４５ｃと押さえ板４５ｄとで周知のねじ端子が構成されている。また、各端子板４５ｂには、それぞれ２個の結合突起４５ｅが下方に突設されている。
【００２８】
コンセントボディ４６は熱硬化性樹脂からなり、図５に示すように、前方から見て逆Ｔ字形状の本体部４６ａと、本体部４６ａの前面から前方へ突設されて刃受けブロック４５間の絶縁を確保する絶縁壁４６ｂとを有する。さらに、本体部４６ａには、刃受けばね４５ａの後端部が収納される刃受け収納穴４６ｃと、端子ねじ４５ｃの脚部が挿入されるねじ挿入穴４６ｄと、端子板４５ｂの結合突起４５ｅが挿入される結合穴４６ｅとが、刃受けブロック４５に一対一に対応して２組設けられている。刃受けブロック４５は、例えば結合突起４５ｅが結合穴４６ｅに圧入されることにより、コンセントボディ４６に保持されている。
【００２９】
また、図６（ａ）〜（ｃ）に示すように、カバー４２において、後面の上端部には、刃受けブロック４５及びコンセントボディ４６が収納される空間をボディ４１の前面との間に構成するコンセント収納凹部４２ａが設けられている。コンセント収納凹部４２ａ内には、図７に示すように、熱硬化性樹脂からなり１組の栓刃挿入口４４ａが前後に貫設されたコンセントカバー４７が取り付けられている。コンセントカバー４７は、前後に扁平であって栓刃挿入口４４ａが設けられた本体部４７ａと、本体部４７ａの左右両端部からそれぞれ後方へ突設されて左右に対向する２個の凸部４７ｂ，４７ｃとを備える。コンセントカバー４７の前面において栓刃挿入口４４ａの開口を囲む長方形状の範囲は他の部位よりも前方に突出したボス部４７ｄとなっており、コンセント収納凹部４２ａの底面には、コンセントカバー４７のボス部４７ｄが挿通されるコンセント露出穴４０ａが前後に貫設されている。すなわち、本実施形態におけるハウジング４０は、ボディ４１及びカバー４２と、コンセントボディ４６と、コンセントカバー４７とで構成されている。なお、上記のようなコンセントボディ４６及びコンセントカバー４７を用いる代わりに、ボディ４１及びカバー４２をそれぞれ熱硬化性樹脂で形成し、ボディ４１に刃受けブロック４５を直接保持させるとともにカバー４５に栓刃挿入口４４ａを設けてもよい。また、コンセントブロック４５とコード４４ｂとの接続には、上記のようなねじ端子に代えて圧着等の他の周知の手段を用いてもよい。
【００３０】
さらに、カバー４２の後面においてコンセント収納凹部４２ａの下側には、左右に長い保持突起４２ｂが後方へ突設されており、コンセントカバー４７は、例えばコンセント収納凹部４２ａの内面と保持突起４２ｂの上面とに囲まれた空間に嵌め込まれることによってカバー４２に保持されている。
【００３１】
ここで、刃受けブロック４５に接続されたコード４４ｂは、図２（ｂ）に示すようにハウジング４０の下面の左端部に形成されたコード挿通穴４０ｃを通じて引き出される。ボディ４１の前面及びカバー４２の後面の各左下端部には、それぞれ下方に開放されてボディ４１とカバー４２とが結合したときにコード挿通穴４０ｃを構成するコード挿通溝４１ｃ，４２ｃが設けられている。各コード挿通溝４１ｃ，４２ｃの下端部の内面はコード挿通穴４０ｃの内径を下方に向かって大きくするように傾斜しており、これによってコード挿通穴４０ｃの開口縁とコード４４ｂとの接触圧が低くなってコード４４ｂに断線が発生しにくくなっている。コード４４ｂの他端には電源プラグ４４ｃが設けられており、この電源プラグ４４ｃが屋内のコンセントＡＣに接続されることにより、刃受けブロック４５と電源線３とを介した光加入者線終端装置１への給電が可能となる。つまり、電源プラグ４４ｃ及びコード４４ｂがそれぞれ請求項における電源手段である。
【００３２】
また、カバー４２の後面には、コード挿通溝４２ｃの上側に連続して上方へ延び上端部がコンセント収納凹部４２ａの下端に沿って左に延びて下端がコード挿通溝４２ｃに連通する逆Ｌ字形状の通線凹部４２ｄが設けられている。
【００３３】
図８に示すように、ボディ４１の前面において、コード挿通溝４１ｃの上側には、下端においてコード挿通溝４１ｃに連通したコード挿通凹部４１ｂが設けられている。さらに、コード挿通凹部４１ｂの上側には、前面が下方に向かって後方へ傾斜した傾斜部４１ｄと、ボディ４１の前面から前方へ突出しコンセント収納凹部４１ａの下端において左右に延び左端が傾斜部４１ｄに沿って下方へ延びた逆Ｌ字形状のコードガイド凸部４１ｅとがそれぞれ設けられている。ボディ４１の傾斜部４１ｄの前面及びコード挿通凹部４１ｂの底面と、カバー４２の通線凹部４２ｄの底面との間には、コード４４ｂを挿通可能な空間が形成される。刃受けブロック４５に接続されたコード４４ｂは、コードガイド凸部４１ｅによって傾斜部４１ｄ上へガイドされ、傾斜部４１ｄに沿ってコード挿通凹部４１ｂ内へガイドされ、さらにコード挿通凹部４１ｂの内面によってコード挿通溝４１ｃへガイドされる。さらに、コード挿通溝４１ｃの左右両側には、それぞれ円柱形状であって施工時にコード４４ｂを位置決めするコード位置決め凸部４１ｆが前方へ突設されている。カバー４２の後面においてコード挿通溝４２ｃの右上（図６（ａ）における左上）には、ボディ４１とカバー４２との結合時に右側のコード位置決め凸部４１ｆが挿入される受け穴４２ｆが設けられている。左側のコード位置決め凸部４１ｆは、ボディ４１とカバー４２との結合時には通線凹部４２ｄに挿入される。
【００３４】
また、ボディ４１の前面において、コード挿通凹部４１ｂの右側には、それぞれ１個ずつのモジュラジャック４３を保持する２個のモジュラジャック保持凹部４１ｈが左右に並べて設けられている。各モジュラジャック４３は、それぞれ、プラグ挿入口４３ａを下方に向け、例えば嵌合によってモジュラジャック保持凹部４１ｈに保持される。また、ボディ４１においてコードガイド凸部４１ｅの左右に伸びた部位の下側であって上下に延びた部位の右側にはケーブル挿通穴４１ｉが前後に貫設され、ボディ４１の前面においてケーブル挿通穴４１ｉとモジュラジャック保持凹部４１ｈとの間には、ケーブル挿通穴４１ｉとモジュラジャック保持凹部４１ｈとにそれぞれ連通したケーブル挿通溝４１ｊが設けられている。モジュラジャック４３に接続された通信ケーブルとしての各ＬＡＮケーブル２は、それぞれ、ケーブル挿通溝４１ｊを通じてケーブル挿通穴４１ｉに導入され、ケーブル挿通穴４１ｉを通じてハウジング４０の後側へ引き出される。一端がモジュラジャック４３に接続されたＬＡＮケーブル２の他端には例えばモジュラプラグ２１が設けられ、このモジュラプラグ２１が光加入者線終端装置１などの他の機器との接続に用いられる。
【００３５】
さらに、カバー４２の後面において、モジュラジャック保持凹部４１ｈに対向する部位には、それぞれ、モジュラジャック４３が収納される空間をモジュラジャック保持凹部４１ｈとの間に形成するモジュラジャック収納凹部４２ｈが設けられ、ケーブル挿通溝４１ｊに対向する部位にはそれぞれモジュラジャック４３に接続されたＬＡＮケーブル２が挿通される空間をケーブル挿通溝４１ｊとの間に形成するケーブル挿通溝４２ｊが設けられている。ボディ４１のモジュラジャック保持凹部４１ｈの前端部及びカバー４２のモジュラジャック収納凹部４２ｈの全体はそれぞれ下方へ開放されており、ボディ４１とカバー４２とを結合した状態では、モジュラジャック保持凹部４１ｈとモジュラジャック収納凹部４２ｈとの間に、モジュラジャック４３のプラグ挿入口４３ａを露出させるプラグ挿通穴４０ｂが形成される。
【００３６】
また、ボディ４１において、左上、右上、左下の各端部と、左側のケーブル挿通溝４１ｊの左側と、右側のケーブル挿通溝４１ｊの右側とには、それぞれねじ挿通穴４１ｋが前後に貫設されている。カバー４２の後面においてボディ４１のねじ挿通穴４１ｋに対応する各部位にはそれぞれねじ穴４２ｋが設けられており、ボディ４１とカバー４２とは、図９に示すように、後方からボディ４１のねじ挿通穴４１ｋに挿通されてカバー４２のねじ穴４２ｋに螺合した計５本の結合ねじＳａにより互いに結合している。また、ボディ４１の後面においてねじ挿通穴４１ｋの周囲には、結合ねじＳａの頭部を収納するねじ収納凹部４１ｌが設けられている。
【００３７】
ここで、図６（ｃ）及び図７に示すように、カバー４２において、コード挿通溝４２ｃの内面と、ケーブル挿通溝４２ｊの内面とには、それぞれ、左右方向から見て三角波形状の２個の張力止め突起４２ｅが設けられている。ボディ４１とカバー４２とを結合させた状態では、ボディ４１のコード挿通溝４１ｃの内面と張力止め突起４２ｅとの間の隙間はコード４４ｂの外径より小さく、ボディ４１のケーブル挿通溝４１ｊの内面と張力止め突起４２ｅとの間の隙間はＬＡＮケーブル２の外径よりも小さくなっている。つまり、刃受けブロック４５に接続されたコード４４ｂと、モジュラジャック４３に接続されたＬＡＮケーブル２とは、それぞれ張力止め４２ｅが絶縁被覆に食込む形で固定される。これにより、コード４４ｂやＬＡＮケーブル２がハウジング４０外から引っ張られた場合にも、コード４４ｂと刃受けブロック４５との接続や、モジュラジャック４３とＬＡＮケーブル２との接続が損なわれにくい。また、張力止め４２ｅによる固定は、ボディ４１とカバー４２とを結合させる際に結合ねじＳａを締め付けることによって行われるから、コード４４ｂやＬＡＮケーブル２を固定する金具等の手段を別途に設ける場合に比べて施工性が向上している。
【００３８】
また、本実施形態の特徴として、図９に示すように、ボディ４１の後面には、底面にケーブル挿通穴４１ｉが開口して下端がコード挿通溝４１ｃの後側においてボディ４１の下方に開放されたケーブル挿通凹部４１ｍが設けられている。これにより、モジュラジャック４３に接続されたＬＡＮケーブル２は、ケーブル挿通穴４１ｉを通じて後方へ引き出す以外に、さらにケーブル挿通凹部４１ｍを通じてハウジング４０の下方（請求項における側方）へ引き出すことができる。ケーブル挿通凹部４１ｍは、上端がケーブル挿通穴４１ｉよりも上側に及び、且つ下端部においてモジュラジャック保持凹部４１ｈを避けた逆Ｌ字形状となっている。ケーブル挿通凹部４１ｍの底面において左端部（図９における右端部）であって上下方向の中央部は傾斜部４１ｄの後面で構成されており、下方へ向かって後方へ傾斜している。ケーブル挿通凹部４１ｍの底面の前後位置は、上端部においてケーブル挿通溝４１ｊと略同じであり、下端部においては上端部よりも前側に位置しており、これらの間が傾斜部４１ｄの後面によって滑らかに連結されている。さらに、ボディ４１において傾斜部４１ｄの後側には、ケーブル挿通凹部４１ｍの左側（図９における右側）の内面から右方（図９における左方）に突設されてケーブル挿通凹部４１ｍの底面との間でＬＡＮケーブル２を挟持するケーブル押さえ突起４１ｎが突設されている。ケーブル挿通凹部４１ｍに２本のＬＡＮケーブル２を挿通可能なように、ケーブル挿通凹部４１ｍの深さ寸法（すなわち前後の寸法）はＬＡＮケーブル２の外径（例えば６ｍｍ）よりも大きくしてあり、ケーブル挿通凹部４１ｍの左端部（図９における右端部）の上下の寸法及び下端部の左右の寸法はそれぞれＬＡＮケーブル２の外径の２倍以上としてある。また、ケーブル挿通凹部４１ｍの上端部の左右の寸法はＬＡＮケーブル２の外径の４倍以上としてあり、ケーブル挿通凹部４１ｍの上端部では深さ寸法をＬＡＮケーブル２の外径の２倍以上としてある。これにより、２本のＬＡＮケーブル２をそれぞれケーブル挿通凹部４１ｍ内において伝送品質が低下しない程度に大きい曲率半径でＵ字形に折り返すことができるようになっている。上記構成により、本実施形態ではモジュラプラグ挿入口４３ａとケーブル挿通凹部４１ｍとを互いに同じ側である下側に開口させることが可能となっている。
【００３９】
ここで、本実施形態は、壁材Ｗの通線穴Ｗ１に重ねて取り付けられる場合、図１（ａ）に示すように壁材Ｗに固定される通線プレート５に保持される。通線プレート５には、例えば取付手段としてのねじ挿通穴（図示せず）が前後に貫設されていて、このねじ挿通穴に挿通されて壁材Ｗに螺合するねじによって壁材Ｗにねじ止め固定される。図１０に示すように、前方から見て通線プレート５の中央部には、通線穴Ｗ１に連通してＬＡＮケーブル２等が挿通される通線口５ａが前後に貫設されている。ここで、図８に示すように、ボディ４２の前面において、コンセント収納凹部４２ａの左上及び右上と、ケーブル挿通溝４１ｊに挟まれた位置との計３箇所には、それぞれ引掛凹部４１ｏが設けられており、各引掛凹部４１ｏの底面においてそれぞれ引掛凹部４１ｏの上側の内面から離れた位置には爪挿通穴４１ｐが前後に貫設されている。コンセント収納凹部４２ａの左上及び右上の引掛凹部４１ｏは、それぞれ下端においてコンセント収納凹部４２ａに連通している。通線プレート５の前面において爪挿通穴４１ｐに対応する３箇所にはそれぞれ前端部が上方に曲がったＬ字形状の引掛爪５ｂが前方へ突設されている。本実施形態を通線プレート５に保持させるに当たっては、各引掛爪５ｂをそれぞれハウジング４０の後方から爪挿通穴４１ｐを通じて引掛凹部４１ｏに導入する。すると、各引掛爪５ｂのそれぞれ上端部が引掛凹部４１ｏの底面を係止することで、ハウジング４０は通線プレート５に保持される。すなわち、引掛爪５ｂが請求項におけるハウジング保持手段である。
【００４０】
より具体的には、通線プレート５は、内面が通線口５ａを構成する筒部（図示せず）と筒部の前端から外向きに突設された円環形状のフランジ部５１ａとを有する通線部材５１と、前方から見て長方形状であり前後に扁平であって前方から見た中央部に通線部材５１のフランジ部５１ａが収納される収納凹部５２ａが設けられるとともに収納凹部５２ａの底面の中央部には通線部材５１の筒部が挿通される貫通穴５２ｂが前後に貫設された本体部材５２とからなる。引掛爪５ｂのうち上側の２個はそれぞれ本体部材５２に設けられ、下側の１個は通線部材５１にのフランジ部５１ａに設けられている。
【００４１】
さらに、通線プレート５の本体部材５２の前面において通線口５ａを挟む上下両端部には、内面にねじ溝が設けられた円筒形状のプレート取付ねじ部５ｃが前方へ突設されている。プレート取り付けねじ部５ｂの突出寸法は例えば２ｍｍである。各プレート取付ねじ部５ｃの寸法形状及びプレート取付ねじ部５ｃ同士の位置関係は、それぞれ例えばＪＩＳ  Ｃ  ８３７５に規定される既成の配線器具用の取付枠（図示せず）が有するプレート取付ねじ部に一致させてある。具体的には、プレート取付ねじ部５ｃのピッチ（ねじ穴の中心間の距離）は１０１ｍｍであり、各プレート取付ねじ部５ｃのねじ穴の内径はそれぞれ３．５ｍｍである。これにより、通信サービスの解約や変更などで壁材Ｗの通線穴Ｗ１が不要となった場合には、通線部材５１を取り外して壁材Ｗの通線穴Ｗ１をパテ等で閉塞した上で、図１１（ｂ）に示すように一般的な配線器具用であって通常は上記取付枠に取り付けられるブランクプレート６を通線プレート５に取り付けることにより、通線穴Ｗ１を閉塞した跡を覆って見栄えを改善することができる。
【００４２】
詳しく説明すると、ブランクプレート６は、図１１（ａ）に示すように長方形枠状のプレート枠６１と、プレート枠６１の前側に結合して前方から見てプレート枠６１を覆うプレートカバー６２とからなる。プレート枠６１の上下両端部においてプレート取付ねじ部５ｃに対応する位置にはそれぞれねじ挿通穴（図示せず）が前後に貫設されており、このねじ挿通穴に挿通されてプレート取付ねじ部５ｃに螺合する取付ねじＳｂによってプレート枠６１は通線プレート５にねじ止め固定される。さらに、プレート枠６１の左右両端部にはそれぞれ３個ずつの結合穴６１ａが上下に並べて設けられている。また、プレートカバー６２の後面の対応する位置にはそれぞれ後端部を左右に変位させるように弾性変形可能な結合突起（図示せず）が後方へ突設されており、各結合突起のそれぞれ後端部には結合爪（図示せず）が左右方向内向きに突設されている。プレートカバー６２とプレート枠６１とを結合させるに当たっては、プレートカバー６２の各結合突起をそれぞれ弾性変形させながら結合穴６１ａに挿入すれば、各結合突起はそれぞれ結合爪がプレート枠６１の後側に至ったときに復帰し、ここにおいて結合爪がプレート枠６１の後面に係止されることによりプレートカバー６２はプレート枠６１に結合する。ここで、前方から見たハウジング４０及び通線プレート５の本体部材５２の外形は、それぞれＪＩＳ  Ｃ  ８３１６に規定された汎用の配線器具用のブランクプレートと共通（具体的には、７０ｍｍ×１２０ｍｍ）としてあり、通線プレート５の本体部材５２は前方から見てブランクプレート６によって完全に覆われるようになっている。
【００４３】
また、ボディ４１には、ボディ４１と通線プレート５のプレート取付ねじ部５ｃとの干渉を避けるための避け穴４１ｑが前後に貫設されている。各避け穴４１ｑは、それぞれ通線プレート５への取付の過程でのプレート取付ねじ部５ｃとの干渉を避けるように、上下に長い長円形状となっている。下側の避け穴４１ｑは左側のモジュラジャック保持凹部４１ｈの底面に開口している。また、ボディ４１の前面においてコンセント保持凹部４１ａの上側には、下端においてコンセント保持凹部４１ａに連通する直付け凹部４１ｒが設けられており、上側の避け穴４１ｑは直付け凹部４１ｒの底面に開口している。
【００４４】
さらに、上側の避け穴４１ｑの上側には、左右の幅寸法が避け穴４１ｑよりも小さく下端において避け穴４１ｑに連通した直付け穴４１ｓが前後に貫設されている。ここで、本実施形態が通線穴Ｗ１から離れた位置に取り付けられる場合、すなわち通線プレート５が用いられない場合には、頭部が避け穴４１ｑに挿通可能且つ直付け穴４１ｓに挿通不可能であって脚部が直付け穴４１ｓに挿通可能な直付けねじ（図示せず）を用いる。詳しく説明すると、壁材Ｗに螺合した直付けねじの頭部を上側の避け穴４１ｑを通じて直付け凹部４１ｒ内に導入し、直付けねじの脚部を直付け穴４１ｓに導入する。すると、直付けねじの頭部が直付け凹部４１ｒの底面を係止することにより、ハウジング４０は壁材Ｗに取り付けられる。つまり、上側の避け穴４１ｑと直付け穴４１ｓとが全体として周知のだるま穴として機能する。
【００４５】
上記構成によれば、モジュラジャック４３に接続されたＬＡＮケーブル２はハウジング４０の下方と後方との両方に開口したケーブル挿通凹部４１ｍを通じて引き出されるから、図１（ａ）に示すようにハウジング４０が壁材Ｗの通線穴Ｗ１に重ねて取り付けられる場合と、図１（ｂ）に示すようにハウジング４０が壁材Ｗの通線穴Ｗ１から離れた位置に取り付けられる場合との両方に使用可能となる。図１（ａ）（ｂ）において、図１４の例と共通する構成については同じ符号を付している。また、図１（ｂ）の例においては、屋外で光加入者線終端装置１（図１２参照）を収納したケース１０が壁材Ｗの通線穴Ｗ１から離れているため、ケース１０と通線穴Ｗ１との間でＬＡＮケーブル２及び電源線３をそれぞれ覆う配線モール７を用いている。
【００４６】
また、モジュラジャック４３を２個備えることにより、一方のモジュラジャック４３を屋内の機器と光加入者線終端装置１との接続に用いながら、他方のモジュラジャック４３を用いて、屋内の機器に接続されたＬＡＮケーブル２を屋外に引き出すことができる。例えば、図１２に示すように、光加入者線終端装置１に接続された一方のモジュラジャック４３を、ＨＵＢ機能を有するルータ８の入力側に接続し、ルータ８の出力側を、他方のモジュラジャック４３に接続され屋外に引き出されたＬＡＮケーブル２を介して、別室（例えば別の階）に配設されたモジュラジャック２２に接続することができる。図１２において、図１４の例と共通する構成については同じ符号を付している。図１２の使用形態においては、別室のモジュラジャック２２に端末機器（図示せず）を接続するだけで、容易に端末機器をルータ８に接続することができ、ルータ８を複数台用意する必要がない。また、図１２の例では、別室のモジュラジャック２２と本実施形態のモジュラジャック４３との接続に２本のＬＡＮケーブル２を用いており、これらＬＡＮケーブル２同士を、光加入者線終端装置１と共通のケース１０に収納された中継用モジュラジャック２３を介して互いに接続している。このように屋内接続装置４のモジュラジャック４３や中継用モジュラジャック２３を介在させれば、いずれかのＬＡＮケーブル２に破損が発生した場合の復旧が容易となる。
【００４７】
ところで、図１２のような接続を行う予定がない場合には、図１３のようにモジュラジャック４３及びプラグ挿通穴４０ｂがそれぞれ光加入者線終端装置１との接続用の１個だけでよいことになる。そこで、ボディ４１及びカバー４２の製造に当たっては、左右いずれか（例えば左側）のモジュラジャック保持凹部４１ｈ又はモジュラジャック収納凹部４２ｈの少なくとも下端部を金型への入れ子（図示せず）によって形成すれば、図１３に示すようにモジュラジャック４３を１個のみ備える屋内接続装置４のハウジング４０を製造する際には、上記入れ子を外すだけで共通の金型を流用することができる。
【００４８】
ここで、光加入者線終端装置１への給電用のプラグ３１にはＡＣアダプタが一体化されていることがあり、このような場合にはプラグ３１の寸法形状が大きくなる。従って、栓刃挿入口４４ａがハウジング４０の側面（取付面に沿った方向に向けられる面）に設けられている場合には、栓刃が栓刃挿入口４４ａに至る前にプラグ３１が取付面に当たって（干渉して）しまい、プラグ３１の栓刃を栓刃挿入口４４ａに挿入することができないということが起こりうる。これに対し、本実施形態では、栓刃挿入口４４ａはハウジング４０の前面に開口しているから、プラグ３１にＡＣアダプタが一体化されている場合であってもプラグ３１と取付面とが干渉することはなく、栓刃を確実に栓刃挿入口４４ａに挿入することができる。
【図面の簡単な説明】
【００４９】
【図１】（ａ）（ｂ）はそれぞれ本実施形態の使用形態の一例を示す説明図であり、（ａ）（ｂ）は互いに異なる使用形態を示す。
【図２】（ａ）〜（ｃ）はそれぞれ同上を示す図であり、（ａ）は正面図、（ｂ）は下面図、（ｃ）は右側面図である。
【図３】同上においてボディにコンセントボディと刃受けブロックとを取り付けた状態の要部を示す正面図である。
【図４】同上の刃受けブロックを示す斜視図である。
【図５】同上のコンセントボディを示す斜視図である。
【図６】（ａ）〜（ｃ）はそれぞれ同上のカバーを示す図であり、（ａ）は背面図、（ｂ）は下面図、（ｃ）は（ａ）のＡ−Ａ断面図である。
【図７】同上のカバーにコンセントカバーを取り付けた状態を示す斜視図である。
【図８】同上のボディを示す斜視図である。
【図９】同上を示す背面図である。
【図１０】同上とともに用いられる通線プレートを示す正面図である。
【図１１】（ａ）は図１０の通線プレートにプレート枠を取り付けた状態を示す正面図であり、（ｂ）は図１０の通線プレートにブランクプレートを取り付けた状態を示す正面図である。
【図１２】同上の使用形態を示す説明図である。
【図１３】同上の別の形態を示す下面図である。
【図１４】屋内接続装置の使用形態を示す説明図である。
【符号の説明】
【００５０】
２  ＬＡＮケーブル（請求項における通信ケーブル）
３  電源線
４  屋内接続装置
５  通線プレート
５ａ  通線口
５ｂ  引掛爪（請求項におけるハウジング保持手段）
５ｃ  プレート取付ねじ部
６  ブランクプレート
４０  ハウジング
４０ｂ  プラグ挿通穴
４３  モジュラジャック
４３ａ  プラグ挿入口
４４ａ  栓刃挿入口
４４ｂ  コード（請求項における電源手段）
４４ｃ  電源プラグ（請求項における電源手段）
４５  刃受けブロック（請求項における刃受け）
Ｗ  壁材
Ｗ１  通線穴
【図１】
2008125331.tif 000003
【図２】
2008125331.tif 000004
【図３】
2008125331.tif 000005
【図４】
2008125331.tif 000006
【図５】
2008125331.tif 000007
【図６】
2008125331.tif 000008
【図７】
2008125331.tif 000009
【図８】
2008125331.tif 000010
【図９】
2008125331.tif 000011
【図１０】
2008125331.tif 000012
【図１１】
2008125331.tif 000013
【図１２】
2008125331.tif 000014
【図１３】
2008125331.tif 000015
【図１４】
2008125331.tif 000016